(57)【要約】【課題】  パッド取付部分は補強効果を有するが、パッド取り付け部分以外は、伸縮して使用者の身体にフィットし易い、失禁パンツを含む、液体漏れ防止パンツを提供することにある。【解決手段】  本発明に係る液体漏れ防止パンツは、  パンツ本体１１は、パッド取り付け部分１２を伸びにくい素材で構成し、パッド取り付け部分１２以外は、伸縮性素材からなる。あるいは、パッド２１は、横方向に鼠径ラインに沿った土手を形成する柔軟性と保持性を有する。パッド２１は、吸収ゲル量を部位により変化させる。あるいは、パッド２１は、吸収ゲル量を部位により変化させ、人体の尿等の水分排出部に対応する部分aに吸水ゲルを他の部分に比し増量させる。あるいは、内側透水被膜のパッド２１内側に非親水性の極細繊維を配置する。【選択図】図１
2015175079.tif 000002
【特許請求の範囲】
【請求項１】
パンツ本体は、パッドが取り付けられるパッド取り付け部分をパッド取り付け部分以外よりも伸びにくい素材で構成し、パッド取り付け部分以外は、伸縮性素材からなる、液体漏れ防止パンツ。
【請求項２】
パンツ本体は、裏地のパッド取り付け部分を裏地のパッド取り付け部分以外よりも伸びにくい素材で構成し、裏地のパッド取り付け部分以外は、伸縮性素材からなる、液体漏れ防止パンツ。
【請求項３】
パンツ本体は、中央部前後方向にパッド取り付け部分を備える、請求項１又は請求項２記載の本発明に係る液体漏れ防止パンツ。
【請求項４】
パッド取り付け部分は、股下では、表地が裏地よりも狭い請求項１乃至請求項３のいずれかに記載の液体漏れ防止パンツ。
【請求項５】
臀部の頂点にくるように、裏地のパッド取り付け部分の輪郭線を設ける請求項１乃至請求項４のいずれかに記載の液体漏れ防止パンツ。
【請求項６】
横方向に鼠径ラインに沿った土手を形成する柔軟性と保持性を有し、吸水性を有するパッドが、パンツ本体のパッド取り付け部に取り付けられた請求項１乃至請求項５のいずれかに記載の液体漏れ防止パンツ。
【請求項７】
吸収ポリマ量を部位により変化させる吸水性を有するパッドが、パンツ本体のパッド取り付け部に取り付けられた液体漏れ防止パンツ。
【請求項８】
人体の尿等の水分排出部に対応する部分に吸水ポリマを他の部分に比し増量させる請求項７記載の液体漏れ防止パンツ。
【請求項９】
着用者に接触する内側から内側透水被膜、疎水性の繊維、吸水ポリマ、外側防水被膜を順次積層させる吸水性を有するパッドが、パンツ本体のパッド取り付け部に取り付けられた液体漏れ防止パンツ。
【請求項１０】
消臭機能を有する布帛又は繊維を用いた請求項１乃至請求項９のいずれかに記載の液体漏れ防止パンツ。
【発明の詳細な説明】
【技術分野】
【０００１】
本発明は、液体漏れ防止パンツに係る。更に詳細には、吸水性を有するパッドの取外し可能な液体漏れ防止パンツに係る。
【背景技術】
【０００２】
従来から液体漏れ防止パンツあるいは失禁用パンツは知られている。吸水性を有するパッドが取外し可能な液体漏れ防止パンツについては、引用文献１〜３に記載がある。
引用文献１記載の「パンツ型おむつ」は「着用者が、吸水性を有するパッドの取り外し交換が可能で、且つ該パッドの交換が、種々の状況下においても容易に行えるパンツ型おむつ」とされる。
引用文献２記載の「失禁者用パンツ」は、「パンツ本体部の内側において、吸収パッド部を着脱可能に配置する。これにより、吸収パッド部が汚れた場合にも、吸収パッドをパンツ本体から取り外し、単独で洗濯することができる。」、「状況に応じて吸収パッドを外すことにより、通常のパンツとして使用可能となる。」とされる。
引用文献３記載の「失禁用パンツおよびこの失禁用パンツに用いられる吸水パッド」は、「吸水パッド３７を収納する収納領域３５を設け、空間部１７の少なくとも一側壁に吸水パッド３７を出し入れ可能な出し入れ開口部２５を設ける」とされる。
【０００３】
引用文献４記載の「男性用下半身衣類」は、「前身頃および後身頃を、伸縮性を有する本体素材で形成する一方、前記前身頃と股部との境界位置を下限として局部を囲む左右両側から左右前裾縁にかけた左右一対の前身頃左右下側部を前記本体素材よりも低伸縮性の低伸縮性素材から形成」とされる。
引用文献５記載の「衣類の膨出部及び該膨出部を備えた男性用下半身衣類及びそれらの製造方法」は、「衣類の膨出部（１）は、凸部の頂点領域（２）と、その周囲の辺縁部領域（３）とを備えており、前記凸部の頂点領域（２）は、プレーン編などの前記辺縁部領域（３）よりも伸びやすい編組織で編成された編生地で構成されており、また、前記辺部領域（３）は、ニットミス編又はタック編などを含み前記凸部の頂点領域（２）よりも伸びにくい編組織で編成された編生地で構成されており、しかも、前記凸部の頂点領域（２）が前記辺縁部領域（３）よりも大きい度目で編成されている」とされる。
【０００４】
引用文献６「吸水パッドを有するショーツ」には、「吸水パッドは実質的に非伸縮性とする一方、該吸水パッドの後端縁は伸縮性を有する連結布を介してショーツ本体と連結する」旨の記載がある。
引用文献７「尿失禁者用パッド及び尿失禁者用下着」には、「防水性を有するパッド本体布と、前記パッド本体布に周縁部が縫着され、前記着用者の肌側からその反対側に尿を浸透させる浸透布と、前記パッド本体布と前記浸透布との間に配置され、前記浸透布の前記反対側に縫着され、前記浸透布の前記反対側に浸透してきた尿を吸収して保水する吸収保水体とを有し、前記吸収保水体の略中央部分には、前記着用者の股座の前後に延在するスリット部が形成されており、前記スリット部の略中央付近において、前記吸収保水体と前記浸透布とは、当該スリットが延在する方向に沿って縫着されており、 前記浸透布の周縁部のうち、少なくとも着用状態において股刳りに相当する両縁部は、それぞれ防水性の脇布を介して前記パッド本体布に縫着されている」尿失禁者用パッドの記載及び図示がある。
【０００５】
引用文献８「布製吸水パッド及び該吸水パッドを取り付けた尿失禁用下着」には、「裏面に防水シートを設けた吸水シートと、片面に熱溶着面を設けた撥水テープを備え、撥水テープを熱溶着面を表側にして吸水シートの表面の周縁部に沿って縫着し、縫着部より内側の折り返し片部を吸水シートの端部側へと折り返し、端部を被覆しつつ吸水シートの裏側の少なくとも縫着部まで被覆するように防水シートの周縁部に熱溶着した吸水パッド。」の記載及び図示がある。
【先行技術文献】
【特許文献】
【０００６】
【特許文献１】特開２００６−２１２０６４号公報
【特許文献２】特開２００４−９７４２７号公報
【特許文献３】特開２００５−１９８９００号公報
【特許文献４】特開２００８−１９６０７８号公報
【特許文献５】特開２０１０−１７４３９２号公報
【特許文献６】特開２００６−３１５７７０号公報
【特許文献７】ＷＯ２００６／１２９５５０号公報
【特許文献８】実用新案登録第３１８４０８１号公報
【発明の概要】
【発明が解決しようとする課題】
【０００７】
しかしながら、特許文献記載発明では、パッド取り付け部分を伸びにくい素材で構成する旨の、更には、パッド取付位置とパンツ素材の伸縮性、非伸縮性を関連させた旨の記載はなかった。また、吸水性を有するパッドを取り付けたその様なパンツについての記載はなかった。
例えば、引用例１記載の「パンツ型おむつ」では、おむつ本体（パンツ本体）自体に伸縮性部分と非伸縮性部分を設ける旨の記載はない。
引用文献６「吸水パッドを有するショーツ」は、ショーツ本体に伸縮性部分と非伸縮性部分を設けるものではない。
そのため、パッド取付部分は補強効果を有するが、パッド取り付け部分以外は、伸縮して使用者の身体にフィットし易い液体漏れ防止パンツを提供できない課題を有した。
【０００８】
本発明の目的は、パッド取付部分は補強効果を有するが、パッド取り付け部分以外は、伸縮して使用者の身体にフィットし易い、失禁パンツを含む、液体漏れ防止パンツを提供することにある。
更に、吸収ポリマ量を部位により変化させる吸水性を有するパッドが、パンツ本体のパッド取り付け部に取り付けられることで、より液体漏れ防止に有効なパンツを提供することにある。
更に、着用者に接触する内側から内側透水被膜、疎水性の繊維、吸水ポリマ、外側防水被膜を順次積層させる吸水性を有するパッドが、パンツ本体のパッド取り付け部に取り付けられることで、より液体漏れ防止に有効なパンツを提供することにある。
更に、消臭機能を有する布帛又は繊維を用いることで、消臭機能を有する液体漏れ防止に有効なパンツを提供することにある。
【課題を解決するための手段】
【０００９】
本発明に係る液体漏れ防止パンツは、
パンツ本体は、パッドが取り付けられるパッド取り付け部分をパッド取り付け部分以外よりも伸びにくい素材で構成し、パッド取り付け部分以外は、伸縮性素材からなる。
【００１０】
あるいは、本発明に係る液体漏れ防止パンツは、
パンツ本体は、裏地のパッド取り付け部分を裏地のパッド取り付け部分以外よりも伸びにくい素材で構成し、裏地のパッド取り付け部分以外は、伸縮性素材からなる。
【００１１】
あるいは、本発明に係る液体漏れ防止パンツは、更に、
パンツ本体は、中央部前後方向にパッド取り付け部分を備える。
【００１２】
あるいは、本発明に係る液体漏れ防止パンツは、更に、
パッド取り付け部分は、股下では、表地が裏地よりも狭い。
【００１３】
あるいは、本発明に係る液体漏れ防止パンツは、更に、
臀部の頂点にくるように、裏地のパッド取り付け部分の輪郭線を設ける。
【００１４】
あるいは、本発明に係る液体漏れ防止パンツは、更に、
横方向に鼠径ラインに沿った土手を形成する柔軟性と保持性を有し、吸水性を有するパッドが、パンツ本体のパッド取り付け部に取り付けられる。
【００１５】
あるいは、本発明に係る液体漏れ防止パンツは、吸収ポリマ量を部位により変化させる吸水性を有するパッドが、パンツ本体のパッド取り付け部に取り付けられる。
【００１６】
あるいは、本発明に係る液体漏れ防止パンツは、更に、人体の尿等の水分排出部に対応する部分に吸水ポリマを他の部分に比し増量させる。
【００１７】
あるいは、本発明に係る液体漏れ防止パンツは、着用者に接触する内側から内側透水被膜、疎水性の繊維、吸水ポリマ、外側防水被膜を順次積層させる吸水性を有するパッドが、パンツ本体のパッド取り付け部に取り付けられる。
【００１８】
あるいは、本発明に係る液体漏れ防止パンツは、更に、
消臭機能を有する布帛又は繊維を用いる。
【発明の効果】
【００１９】
パッド取付部分は補強効果を有するが、パッド取り付け部分以外は、伸縮して使用者の身体にフィットし易い、液体漏れ防止パンツを提供する。更に、吸収ポリマ量を部位により変化させる吸水性を有するパッドが、パンツ本体のパッド取り付け部に取り付けられることで、より液体漏れ防止に有効なパンツを提供する。
更に、着用者に接触する内側から内側透水被膜、疎水性の繊維、吸水ポリマ、外側防水被膜を順次積層させる吸水性を有するパッドが、パンツ本体のパッド取り付け部に取り付けられることで、より液体漏れ防止に有効なパンツを提供する。」
更に、消臭機能を有する布帛又は繊維を用いることで、消臭機能を有する液体漏れ防止に有効なパンツを提供する。
【図面の簡単な説明】
【００２０】
【図１】この発明の実施の形態に係る第１実施例の着用状態の正面図である。
【図２】この発明の実施の形態に係る第１実施例の着用状態の側面図である。
【図３】この発明の実施の形態に係る第１実施例の着用状態の正面図である。
【図４】この発明の実施の形態に係る第１実施例のパッドの斜視図である。
【図５】この発明の実施の形態に係る第１実施例のパッドのパンツへの取り付け操作を示す斜視図である。
【図６】この発明の実施の形態に係る第１実施例のパッドの取り付けられたパンツの透視斜視図である。
【図７】この発明の実施の形態に係る第１実施例のパッド取付状態のパンツの正面図である。
【図８】この発明の実施の形態に係る第２実施例のパッド取付状態のパンツの正面図である。
【図９】この発明の実施の形態に係る第３実施例のパッド取付状態のパンツの正面図である。
【図１０】この発明の実施の形態に係る第１実施例の使用状態の正面図である。
【図１１】この発明の実施の形態に係る第１実施例の使用状態の正面図である。
【図１２】この発明の実施の形態に係る第１実施例のパッドの中央断面図である。
【図１３】この発明の実施の形態に係る第４実施例のパッド中央断面図である。
【図１４】この発明の実施の形態に係る第５実施例のパッドの中央断面図である。
【図１５】この発明の実施の形態に係る第６実施例のパンツの表面正面図である。
【図１６】この発明の実施の形態に係る第６実施例のパンツの表面背面図である。
【図１７】この発明の実施の形態に係る第６実施例のパンツの裏面正面図である。
【図１８】この発明の実施の形態に係る第６実施例のパンツの裏面背面図である。
【発明を実施するための形態】
【００２１】
１１は、液体漏れ防止パンツにおけるパンツ本体である。
パンツ本体１１の前から後ろにかけての中央部には、パッド取り付け部分１２が設けられる。パッド取り付け部分１２は、表地はニットからなり、裏地はポリエステル、ナイロン等伸びない布帛、織物からなる。パッド取り付け部分１２前後に亘って内側にパッド２１が設置される
【００２２】
パンツ本体１１の、パッド取り付け部分１２以外からなる側部１３は、伸縮性素材からなるニットで構成する。この第１実施例では、表地はニットからなり、パッド取り付け部分１２の裏地は伸びにくいポリエステル、ナイロン等の布帛、織物からなる。表地はニットであるが、パッド取り付け部分１２の裏地が伸びにくい布帛からなるためパッドが尿を吸収して重くなっても、パンツ本体１１はずり下がらない。
パンツ本体１１は、図１図２に図示されるように、鼠蹊部、臀裂部にしっかりフィットするカッティングを採用し、脚上げやしゃがみ込みが容易である。
パンツ本体１１は、股下は5ｃｍ以上が望ましい。あまり短いとパッド２１がずれてセットされた場合、股下からパッド２１がはみ出す可能性がある。
図８に図示される第２実施例では、紳士用トランクスタイプの液体漏れ防止パンツであり、図９に図示される第３実施例では、婦人用ハーフロングタイプの液体漏れ防止パンツである。
【００２３】
図７に図示される１４は、切り替え線である。切り替え線１４は、パッド２１をパンツ本体１１に取り付けるときの目安とするものであって、パンツ本体１１の内側裏地の前後に設けられる。
図８に図示される１６は、切込み部である。切込み部１６は、図８に図示されるように表地中央下部に設けられる。切込み部１６を設けることで、切込み部１６左右の表地を中央が突起するように縫製する。突起内部へ男性器を収納することで、男性器の収納が容易となる。女性用では、表側の切込み部１６は設けなくてよい。
【００２４】
２１は、パッドである。パッド２１は、吸水性素材からなる吸水パッドであり吸水性を有する。パッド２１は、図１２に中央断面図を図示するように、着用者に接触する内側から内側透水被膜２４、吸水ポリマ２５、外側防水被膜２６を順次積層して形成する。この第１実施例では、パッド２１は、１５０ｃｃの吸水力を有し、ポリマ２５は、全面にわたって均等に積層され、ポリマ量も、均等に挿入される。
パッドには、防臭剤をいれたり、繊維に防臭剤を練り込むことで、使用時の臭い防止に有効である。防臭剤としては、特開２００９−１９１４１５「ストレッチ布帛」記載の酸化亜鉛、ゼオライト、アパタイト（リン灰石）、活性炭、活性アルミナ、活性シリカゲル、ベントナイト、又はセピオライト等のセラミックス粉末、及び絹繊維含有物等または鉄、銅などの金属塩並びにこれらの混合物が知られている。更に消臭性に優れたとされる繊維、としていは、例えば特開平６−１８４９４１「改質セルロース繊維及びその製造方法」記載の「アンモニアやアミン、屎尿臭等の塩基性悪臭物質に対する吸着性にすぐれたもので、脱臭性繊維としての作用を示すものである。」とされる改質セルロース系繊維が知られている。
【００２５】
乾燥状態のパッド２１に吸水する場合、万遍なく水分を散布するわけではなく、人体からの水分の排出部は特定される。
そのため、均等にゲル量を挿入した場合、使用初期には吸収は良いが、尿量が増大していくと、使用時に人体の尿等の水分排出部に対応する部分が飽和した後は、パッド２１前後（上下）への吸収に時間がかかり、あふれる状態となる可能性がある。そのため、使用時の横漏れが生じるおそれがある。
そこで、図１３に図示する第４実施例では、パッド２１の吸収ポリマ量を部位により変化させ、パッド２１の水分排出部に該当する部分ａに吸水ポリマを、他の部分に比し部分的に集中させて増量させ、ポリマ層を厚くすることで、液漏れ防止とりわけパッド２１からの横漏れ防止を図る。
【００２６】
更に、図１４に図示される第５実施例のように内側透水被膜２４のパッド内側に疎水性の極細繊維２７を配置し、人体の尿等の水分排出がされると直ちに、毛細管現象によりパッド２１前後（上部）への短時間の移動を促すことも液漏れに有効である。
【００２７】
パッド２１には、図４に図示されるように表面に粘着面２２が設けられる。粘着面２２は、粘着テープからなる。粘着面２２表面は不使用時にはカバー２３で被覆される。
粘着面２２は、図４に図示されるように、全幅の略１／３の幅で中央部に前後に帯状に亘って設けても、より細い幅で、平行に複数本設けあるいは全長に亘って設けない帯状を複数組み合わせて設けても良い。
【００２８】
パッド２１は、パンツ本体１１の前後とも、内側裏地の切り替え線１４に合せて取り付ける。
パッド２１は、必要なときに装着できる。また、不要時にはパンツ本体１１から取外し可能で、パッド２１無しでパンツ本体１１のみでの着用も可能である。
パッドの装着が容易で、何回装着しても表地は傷まない。
【００２９】
図３に図示されるように、パンツ本体１１は、幅広ゴム１５を胴体への固定部に使用するので、パッドが尿を吸収して重くなっても、ずり下がりにくくなる。腰の幅広ゴム１５は、６〜１０ｃｍからなる。
この第１実施例では、パンツ本体１１は、鼠蹊部、臀裂部にしっかりフィットし、パッドがずれずに動きやすい、カッティングを採用した。そのため、足上げや、しゃがみ込みが容易となる。
パッド取付位置は、女性用、男性用では差を設ける。男性用では、パッド１１の被覆箇所を前方にする必要がある。そのため、パッド２１のパンツ本体１１への取付の目安となる切り替え線１４は、男性用では女性用よりも前方に設ける。
【００３０】
パンツ本体１１のパッド取り付け部分１２の後股分の表地と、裏地は、縫い止められていない状態である、ふらし仕様にしてもよい。後股部の裏地が伸びないため開脚時に抵抗があり、開脚時、臀裂部が開き、予想以上のストレッチが必要となるが、ふらし仕様としたため、これらの問題は解決する。
【００３１】
パッド２１のパンツ本体１１への取付けは、第１実施例では、図４乃至図７に図示されるように行う。まず、図４に図示されるように、パッド２１中央部に設けられた粘着面２２表面を被覆するカバー２３を剥がす。
次いで、図５に図示されるように、剥き出しになった粘着面２２を外側に向けてパッド２１全体がＵ字状態のまま、図６に図示するようにパンツ本体１１まで下げる。粘着面２２はパンツ本体１１のパッド取り付け部分１２の幅の中に収める。パッド２１は、図７に図示されるような、パンツ本体１１の内側裏地の前後に設けられた切り替え線１４に、前後端部を合せて位置決めし、粘着面２２をパンツ本体１１内側裏地に押し付けて、固定する。
【００３２】
外すときは、逆の順におこなって、パッド２１をパンツ本体１１から取外す。
パンツ本体１１装着時には、図１０に図示されるように、定位置にパッド２１をパンツ本体１１にセットした後、図１１に図示されるように、鼠径ラインに沿って手で形状を整え、土手１７を形成する。土手１７を形成することで横漏れ防止をより図ることができる。
パッド２１は、横方向に鼠径ラインに沿った土手１７を形成することが可能な柔軟性と保持性を横方向に有する。
【００３３】
図１５乃至図１８に図示される第６実施例について説明する。
パッド取り付け部分１２は、パンツ本体１１の前後部では表地１１１と裏地１２１は、縫い止めてあるが、パンツ本体１１の前後股部の表地１１１と裏地１２１は、縫い止められていない状態である、ふらし仕様にしてある。図１７、図１８に図示されるように、裏地１２１は、股下部分は表地１１１に縫製されていないため、裏地１２１は、開脚時に抵抗なく自由に移動可能である。パンツ本体１１は、中央部の裏地のパッド取り付け部分１２を伸びにくい素材で構成し、裏地のパッド取り付け部分１２以外は、伸縮性素材からなる。
１１２はパッド取り付け部分１２の表地１１１の輪郭線、１２２はパッド取り付け部分１２の裏地１２１の輪郭線である。
【００３４】
第６実施例では、図１５乃至図１８、特に図１７、図１８に図示されるように、表地１１１の輪郭線１１２と、裏地１２１の輪郭線１２２とを比較すると、パッド取り付け部分１２は、股下では、表地１１１が裏地１２１よりも狭い。表地１１１の方が狭いので、パンツ着用時に見場がよい。他方、裏地１２１は表地１１１より広いので、パッド２１をホールドし易い。裏地１２１のパッド取り付け部分１２の幅は、パッド２１の１０〜１５ｃｍからなる吸収体横のギャザ部分も含めた幅である１７〜１８ｃｍの幅からなる。
１２３、１２４は、各々裏地１２１のメッシュ部分である。すなわち、裏地１２１のメッシュ部分は、２のパーツからなる。一方の裏地１２１のメッシュ部分１２４は、ほぼ三角形からなり、他方のメッシュ部分１２３は、股まで幅広に設けられる。メッシュ部分１２３、１２４は、吸水性の素材からなり、裏地１２１のパッド取り付け部分１２を挟んだ前側では裏地１２１のメッシュ部分１２３、１２４の２の部分からなるため動きに対応しやすい。裏地１２１のメッシュ部分１２４は、腰の幅広ゴム１５に至るまであるので上下方向の漏れも吸収しやすい。裏地１２１のメッシュ部分１２３は、股迄幅広に設けられるので、股付近からの横方向への漏れも吸収しやすい。
【００３５】
切込み１６は、表地１１１では、図１５に図示されるように前方には設けられるが、図１６に図示されるように後方の臀部には、設けられない。裏地１２１では、図１７に図示されるように前部も、図１８に図示されるように後方の臀部にも切込み１６は、設けられる。そのため、実際の使用性に優れるとともに、外観の見栄えにも優れる。
図１６、図１８に図示されるように、裏地１２１のパッド取り付け部分１２の輪郭線１２２が、臀部の頂点にくるように設ける。そのため、縦に余裕が生じ、横方向で臀部をホールドするので、動いてもパンツが中に入ってこない。
【００３６】
この発明は、通常生活、旅行、ゴルフなどのスポーツでも安心で、失禁する症状はあるが、活動的な人に有効である。女性の場合ナプキン使用時にも合せて使用することで、液体漏れ防止を図ることが可能である。
【符号の説明】
【００３７】
１１  パンツ本体
１２  パッド取り付け部分
１７  土手
２１  パッド
【図１】
2015175079.tif 000003
【図２】
2015175079.tif 000004
【図３】
2015175079.tif 000005
【図４】
2015175079.tif 000006
【図５】
2015175079.tif 000007
【図６】
2015175079.tif 000008
【図７】
2015175079.tif 000009
【図８】
2015175079.tif 000010
【図９】
2015175079.tif 000011
【図１０】
2015175079.tif 000012
【図１１】
2015175079.tif 000013
【図１２】
2015175079.tif 000014
【図１３】
2015175079.tif 000015
【図１４】
2015175079.tif 000016
【図１５】
2015175079.tif 000017
【図１６】
2015175079.tif 000018
【図１７】
2015175079.tif 000019
【図１８】
2015175079.tif 000020